(57)【特許請求の範囲】
【請求項１】
回路しゃ断器の本体に搭載し、その開閉動作の状態を捉えて外部に電気信号を出力する回路しゃ断器の付属スイッチ装置であり、そのユニットケースの前部に端子台を形成してその背後にマイクロスイッチおよびしゃ断器本体の開閉機構に連動するアクチュエータ機構を組付け、かつ端子台に配した端子金具とマイクロスイッチとの間を接続するリード線を端子台の底面側に引出して這い回し配線した回路しゃ断器の付属スイッチ装置において、前記端子台の底面側に配線カバーを設け、該配線カバーの中を通して前記リード線を配線したことを特徴とする回路しゃ断器の付属スイッチ装置。
【請求項２】
請求項１記載の付属スイッチ装置において、配線カバーが端子台と一体成形されていることを特徴とする回路しゃ断器の付属スイッチ装置。
【請求項３】
請求項１記載の付属スイッチ装置において、配線カバーを別部品として端子台に着脱可能に装着したことを特徴とする回路しゃ断器の付属スイッチ装置。
【発明の詳細な説明】
【０００１】
【発明の属する技術分野】
本発明は、サーキットプロテクタなどを対象とする配線用回路しゃ断器に搭載して使用する回路しゃ断器の付属スイッチ装置に関する。
【０００２】
【従来の技術】
頭記した回路しゃ断器の付属装置にしゃ断器のオン，オフ，トリップ状態を電気信号として出力する補助スイッチ，警報スイッチなどがある。ここで、警報スイッチを搭載したサーキットプロテクタを例に、回路しゃ断器および警報スイッチの構造を図５，図６に示す。
【０００３】
図５において、１は回路しゃ断器の本体ケース、２は負荷側の主回路端子、３は電源側の主回路端子、４は固定接触子、５は可動接触子、６は可動接触子５と主回路端子３との間を接続する可撓リード線（細い銅線を束ねて編んだもの）、７は接触子開閉機構、８は開閉操作ハンドル、９はソレノイド式の過電流引外し装置、１０が付属装置として本体ケース１に装着した警報スイッチである。
【０００４】
この警報スイッチ１０は、図６で示すように、樹脂モールド製のユニットケース１１の前部に端子台１２を成形し、その背後にマイクロスイッチ１３およびそのアクチュエータ機構１４を組付けた構造になり、端子台１２に配した端子金具１５とマイクロスイッチ１３との間には図５で示すようにリード線（絶縁被覆線）１６が配線されており、その組立ては次記のような手順で行っている。
【０００５】
まず、端子金具（端子板）１５にリード線１６の一端をスポット溶接した上で、端子金具１５を端子台１２に装着する。次に、リード線１６を端子台１２に開けたリード線通し穴を通して底面側に引出し、この状態でリード線１６の他端をマイクロスイッチ１３の端子に半田付けする。その後にマイクロスイッチ１３，およびアクチュエータ機構１４を所定の組立位置に固定する。
【０００６】
この警報スイッチ１０を回路しゃ断器に搭載する場合には、左右二分割構造になる本体ケース１の間に挟んで装着する。
なお、前記回路しゃ断器，および警報スイッチに関する詳細な構造，動作は特開平９−３２６２２８，特開平９−２６５８９０号公報に開示されており、ここではその説明は省略する。
【０００７】
【発明が解決しようとする課題】
ところで、前記した従来構造の付属スイッチを搭載した回路しゃ断器では、図５で示すように警報スイッチ１０の端子台１２から引出したリード線１６がそのまましゃ断器本体の内方に露呈し、しゃ断器本体の主回路端子２と可動接触子５との間を接続する可撓リード線６に接近して対峙することから、回路しゃ断器の開閉動作時に次に記すようなトラブルを引き起こすおそれがある。
【０００８】
(1) しゃ断器本体の可動接触子が開極（図５で可動接触子５が左側に移動）すると、この動きに伴って可撓リード線６が図５の伸びた状態から弛むように変形して警報スイッチ１０のリード線１６の露呈部分に当たり、このために長期使用の間にリード線１６の絶縁被覆が損傷してその芯線が主回路の可撓リード線６に直接接触して短絡する危険がある。
【０００９】
なお、リード線１６と可撓リード線６との接触を防ぐには、端子台１２の底面側に引出したリード線１６の弛みをできる限り小さくする必要があるが、先記した引回し配線の関係からリード線１６の長さを極端に縮めることができない。
(2) 前記リード線１６が、しゃ断器本体の引外し動作でその固定接点と可動接点の間に発生したアーク，およびそれに伴う高温ガスに晒されて絶縁被覆が焼損し、付属スイッチの内部回路が短絡する危険がある。
【００１０】
本発明は上記の点に鑑みなされたものであり、その目的は前記課題を解決して安全性を高めるように改良した回路しゃ断器の付属スイッチ装置を提供することにある。
【００１１】
【課題を解決するための手段】
上記目的を達成するために、本発明によれば、回路しゃ断器の本体に搭載し、その開閉動作の状態を捉えて外部に電気信号を出力する回路しゃ断器の付属スイッチ装置で、そのユニットケースの前部に端子台を形成してその背後にマイクロスイッチおよびしゃ断器本体の開閉機構に連動するアクチュエータ機構を組付け、かつ端子台に配した端子金具とマイクロスイッチとの間を接続するリード線を、端子台の底面側に引出して這い回し配線した回路しゃ断器の付属スイッチ装置において、
前記端子台の底面側に配線カバーを設け、該配線カバーの中を通して前記リード線を配線する（請求項１）ものとし、その実施態様として、配線カバーを端子台と一体成形する（請求項２）、あるいは別部品として端子台に着脱可能に装着する（請求項３）構成がある。
【００１２】
上記の構成によれば、しゃ断器本体に搭載した付属スイッチとしゃ断器本体の可動接触子に接続した可撓リード線とが接近していても、付属スイッチの端子台の底面側に引出したリード線は配線カバーでガードされているので、回路しゃ断器の開閉動作時にしゃ断器本体の可撓リード線に直接触れたり擦られるおそれがなく、また配線カバーが熱的な遮へい体として機能するので、主回路の電流しゃ断に伴って発生するアーク，高温ガスで付属スイッチのリード線絶縁被覆が焼損する危険もなく、これにより付属スイッチの安全性，信頼性が向上する。
【００１３】
【発明の実施の形態】
以下、本発明の実施の形態を図示実施例に基づき説明する。なお、各実施例の図中で図５，図６に対応する部材には同じ符号を付してその説明は省略する。
〔実施例１〕
図１，図２は本発明の請求項１，２に対応する実施例を示すものである。この実施例においては、警報スイッチ１０のユニットケース１１に対して、その端子台１２の下面側にリード線１６を収容する袋状の配線カバー１７が端子台１２と一体にモールド成形されており、端子金具１５にスポット溶接して端子台の底面側に引き出したリード線１６は前記配線カバー１７の中を通してマイクロスイッチ１３に接続するようにしている。なお、配線カバー１７は、その内部配線通路のコーナー部を傾斜面に形成して、リード線１６の這い回し配線作業が楽に行えるようにしている。
【００１４】
これにより、図２で示すように回路しゃ断器に搭載した状態で、しゃ断器本体の開閉動作に伴って可撓リード線６が自由に変形しても、警報スイッチ１０のリード線１６は配線カバー１７で覆われているので、可撓リード線６に触れたり擦られたりするおそれはなく、これによりリード線１６を安全に保護できる。また、配線カバー１７は熱的な遮へいカバーとしても機能し、主回路電流のしゃ断に伴って発生するアーク，高温ガスでリード線１６の絶縁被覆が焼損する危険もない。
【００１５】
〔実施例２〕
図３，図４は本発明の請求項３に対応する応用実施例を示すものである。この実施例においては、先記の実施例１で述べた配線カバーを別部品として端子台の底面側に着脱可能に装着した構成になる。
すなわち、樹脂成形品で作られた独立部品になる着脱式配線カバー１８は、端子台１２の底面との間で、あり継手（ダブテール継手）により連結するようにしており、図４で示すようにユニットケース１１側にはあり溝１１ａを形成し、これに対応して配線カバー１８にはダブテール状の係合突起１８ａを形成し、両者の間を差込み式に結合するようにしている。
【００１６】
かかる構成で、リード線１６の配線作業は配線カバー１８を外した状態で行い、リード線１６をマイクロスイッチ１３に半田つけし、さらにマイクロスイッチ１３を定位置に固定した後、最後に配線カバー１８を取付けてリード線１６を覆うようにする。これにより、先記実施例１と同等な効果に加えて、リード線１６の配線作業が配線カバー１８に邪魔されることがなく、図１の固定式配線カバー１７に比べて配線作業が楽に行なえる利点がある。
【００１７】
なお、図示実施例は回路しゃ断器付属スイッチとして警報スイッチについて述べたが、補助スイッチについても同様に実施適用できることは勿論である。
【００１８】
【発明の効果】
以上述べたように、本発明によれば、付属スイッチの端子台底面側に配線カバーを設け、該配線カバーの中を通して端子台とマイクロスイッチとの間を接続するリード線を配線したことにより、当該付属スイッチを回路しゃ断器の本体に搭載した使用状態で、しゃ断器本体の開閉動作時に主回路側の可撓リード線が撓み変形しても、配線カバーがガードして付属スイッチのリード線に直接触れるおそれがなく、また主回路電流の遮断に伴って発生するアーク，高温ガスの影響でリード線の絶縁被覆が焼損する危険もなく、これにより付属スイッチ装置の安全性，信頼性の向上化が図れる。
【図面の簡単な説明】
【図１】本発明の実施例１に対応する警報スイッチの組立構造図で、(a),(b) はそれぞれ正面図，および側視断面図
【図２】図１の警報スイッチを搭載した回路しゃ断器の構成図
【図３】本発明の実施例２に対応する警報スイッチの組立構造図で、(a),(b) はそれぞれ正面図，および側視断面図
【図４】図３における着脱式配線カバーの分解図
【図５】従来の警報スイッチを搭載した回路しゃ断器の構成図
【図６】図５における警報スイッチの分解斜視図
【符号の説明】
１    回路しゃ断器の本体ケース
４    固定接触子
５    可動接触子
６    可撓リード線
７    開閉機構
１０    警報スイッチ（付属スイッチ）
１１    ユニットケース
１２    端子台
１３    マイクロスイッチ
１４    アクチュエータ機構
１５    端子金具
１６    リード線
１７    配線カバー
１８    着脱式配線カバー
【図１】
0004186426.tif 000002
【図２】
0004186426.tif 000003
【図３】
0004186426.tif 000004
【図４】
0004186426.tif 000005
【図５】
0004186426.tif 000006
【図６】
0004186426.tif 000007